(57)【要約】【課題】植物の栽培を行う際に、効率的に容器に充填された用土の温度を調節することができるようにする。【解決手段】複数の容器（例えば、植木鉢１０）を含む植物栽培用容器セット１００であって、容器セット１００を構成する各容器（例えば、植木鉢１０）は、側壁部１１と底壁部２１を備え、側壁部１１に、上側から重ねられた他の容器を支持するための支持部１３が形成され、底壁部２１に、複数の容器が重ねられた状態で複数の容器を縦方向に貫通する軸管２７を挿通するための挿通機構（例えば、挿通孔２６）を備え、軸管２７は、少なくとも一端に、温度調節媒体（例えば、温風と冷風）を供給する温度調節装置２００の供給管（例えば、温度調節媒体供給管２０１）に固定接続されるための接続部（例えば、ねじ山Ｎ）を備えたことを特徴とする。【選択図】図１
2011177137.tif 000002
【特許請求の範囲】
【請求項１】
複数の容器を含む植物栽培用容器セットであって、
該容器セットを構成する各容器は、
側壁部と底壁部を備え、
前記側壁部に、上側から重ねられた他の容器を支持するための支持部が形成され、
前記底壁部に、前記複数の容器が重ねられた状態で当該複数の容器を縦方向に貫通する軸管を挿通するための挿通機構を備え、
前記軸管は、少なくとも一端に、温度調節媒体を供給する温度調節装置の供給管に固定接続されるための接続部を備えた
ことを特徴とする植物栽培用容器セット。
【請求項２】
前記軸管の側壁に、前記容器に充填された用土に前記温度調節媒体を供給するための供給孔が形成された
請求項１に記載の植物栽培用容器セット。
【請求項３】
前記容器セットを構成する各容器は、
上面が円形に開口し、
前記底壁部に複数の連通孔が形成され、
前記側壁部は、容器の上側から下側に向けて徐々に大きく内側に凹む複数の凹部と、該複数の凹部以外の非凹部とによって形成され、
前記支持部は前記複数の凹部であり、該複数の凹部は、それぞれ、同形の他の容器の上側に重ねられたときに当該他の容器の上面の上方に開口空間を形成する
請求項１または請求項２に記載の植物栽培用容器セット。
【請求項４】
前記挿通機構は、前記軸管の外径と略同一の径をもつ挿通孔である
請求項１から請求項３のうちいずれかに記載の植物栽培用容器セット。
【請求項５】
前記挿通機構は、前記軸管の外径と略同一の内径をもつ円筒管であり、
該円筒管は、前記底壁部から前記支持部が位置する高さと略同一の高さをもち、一端が前記底壁部に接続された
請求項１から請求項４のうちいずれかに記載の植物栽培用容器セット。
【請求項６】
複数の容器を含む植物栽培用容器セットと、温度調節装置とを含む植物栽培用システムであって、
前記容器セットを構成する各容器は、
側壁部と底壁部を備え、
前記側壁部に、上側から重ねられた他の容器を支持するための支持部が形成され、
前記底壁部に、前記複数の容器が重ねられた状態で当該複数の容器を縦方向に貫通する軸管を挿通するための挿通機構を備え、
前記温度調節装置は、前記挿通機構に前記軸管が挿通された状態で、該軸管と、温度調節媒体を供給する温度調節媒体供給機構とを接続するための接続機構を備えた
ことを特徴とする植物栽培用システム。
【請求項７】
植物の栽培方法であって、
複数の容器を含む植物栽培用容器セットであって、
該容器セットを構成する各容器は、
側壁部と底壁部を備え、
前記側壁部に、上側から重ねられた他の容器を支持するための支持部が形成され、
前記底壁部に、前記複数の容器が重ねられた状態で当該複数の容器を縦方向に貫通する軸管を挿通するための挿通機構を備えた、容器セットを用意し、
前記容器にそれぞれ用土を充填し、
前記挿通機構に、少なくとも一端に、温度調節媒体を供給する温度調節装置の供給管に固定接続されるための接続部を備えた軸管を挿通し、
前記接続部を前記供給管に固定接続し、
前記用土に植物の種若しくは苗を植え付け、
該植え付けた植物の種若しくは苗の成長に応じて前記温度調節装置によって前記挿通された軸管に前記温度供調節体を供給することにより前記用土の温度を調節する
ことを特徴とする植物の栽培方法。
【発明の詳細な説明】
【技術分野】
【０００１】
本発明は、植物の栽培に用いる植物栽培用容器セット、植物栽培用システム、及び植物栽培用容器セットを用いた植物の栽培方法に関する。
【背景技術】
【０００２】
従来から、鉢やプランター等の容器を用いた野菜等の栽培方法として、多くの方法が提案されている。本願に係る発明をした者の１人が先に出願し、登録された栽培方法もその１つである（特許文献１）。これは、鉢やプランターなど、上面が開口し、下面に連通孔を有する容器を複数個用いるもので、複数の容器の開口部が、それぞれ異なる大きさであり、それらに、栽培対象とする野菜等の生育段階に応じた肥料を混合した用土を詰め、順次重ね合わせていき、最上段の容器に第１生育段階の用土を詰めて野菜などの種若しくは苗を植え付け、その種などが所定の生育段階に至ったときに、容器相互間に形成された収用空間内に生育段階に応じた肥料を含む用土を増土して生育を進行させる栽培方法であり、それなりの良い栽培結果をえることができた。  
【先行技術文献】
【特許文献】
【０００３】
【特許文献１】特許２９６０３８２号公報
【発明の概要】
【発明が解決しようとする課題】
【０００４】
一方、植物の栽培においては、使用する用土を栽培対象とする植物に適した状態で管理することが重要となる場合がある。この場合、用土の乾燥や地温の管理を行なうために、「マルチング」と呼ばれる手法が用いられる。「マルチング」とは、畑の表面をわらやプラスチックなどで覆う手法である。
【０００５】
しかしながら、複数の容器を重ね合わせて栽培を行う場合、栽培量を増やすほど畑などに比べてマルチング作業に要する作業負担が大きくなる。一方、複数の容器を重ね合わせて栽培を行う場合に、ビニルハウスなど温度管理が可能な空間内で栽培を行うことが考えられるが、この場合空間全体の状態（特に、温度と湿度）を管理する必要があるので、燃料や電気料のコストが過大になるという問題があった。
【０００６】
本発明は、上記の問題を解消し、容器を重ね合わせて生育を進行させる栽培方法を用いて植物の栽培を行う場合に、容器内の用土の状態管理を効率的に行なえるようにすることを目的とする。
【課題を解決するための手段】
【０００７】
本発明の植物栽培用容器セットは、複数の容器を含む植物栽培用容器セットであって、該容器セットを構成する各容器は、側壁部と底壁部を備え、前記側壁部に、上側から重ねられた他の容器を支持するための支持部が形成され、前記底壁部に、前記複数の容器が重ねられた状態で当該複数の容器を縦方向に貫通する軸管を挿通するための挿通機構を備え、前記軸管は、少なくとも一端に、温度調節媒体を供給する温度調節装置の供給管に固定接続されるための接続部を備えたことを特徴とする。
【０００８】
上記の構成としたことで、容器を重ね合わせて生育を進行させる栽培方法を用いて植物の栽培を行う場合に、容器内の用土の状態管理を効率的に行なうことができるようになる。
【０００９】
すなわち、温度調節装置により用土の温度を管理することができるので、マルチングなどの作業負担が軽減される。また、容器の内側から用土を加熱または冷却することができるので、例えばビニルハウスのように容器周辺の温度を調節する場合に比べて温度管理にかかる燃料コストを抑えることができるようになる。また、重ね合わせた容器が横転することを防止することができるようになる。
【００１０】
また、前記軸管の側壁に、前記容器に充填された用土に前記温度調節媒体を供給するための供給孔が形成された構成としてもよい。
【００１１】
また、前記容器セットを構成する各容器は、上面が円形に開口し、前記底壁部に複数の連通孔が形成され、前記側壁部は、容器の上側から下側に向けて徐々に大きく内側に凹む複数の凹部と、該複数の凹部以外の非凹部とによって形成され、前記支持部は前記複数の凹部であり、該複数の凹部は、それぞれ、同形の他の容器の上側に重ねられたときに当該他の容器の上面の上方に開口空間を形成する構成としてもよい。
【００１２】
また、前記挿通機構は、前記軸管の外径と略同一の径をもつ挿通孔である構成としてもよい。
【００１３】
また、前記挿通機構は、前記軸管の外径と略同一の内径をもつ円筒管であり、該円筒管は、前記底壁部から前記支持部が位置する高さと略同一の高さをもち、一端が前記底壁部に接続された構成としてもよい。
【００１４】
また、本発明の植物栽培用システムは、複数の容器を含む植物栽培用容器セットと、温度調節装置とを含む植物栽培用システムであって、前記容器セットを構成する各容器は、側壁部と底壁部を備え、前記側壁部に、上側から重ねられた他の容器を支持するための支持部が形成され、前記底壁部に、前記複数の容器が重ねられた状態で当該複数の容器を縦方向に貫通する軸管を挿通するための挿通機構を備え、前記温度調節装置は、前記挿通機構に前記軸管が挿通された状態で、該軸管と、温度調節媒体を供給する温度調節媒体供給機構とを接続するための接続機構を備えたことを特徴とする。
【００１５】
また、本発明の植物の栽培方法は、植物の栽培方法であって、複数の容器を含む植物栽培用容器セットであって、該容器セットを構成する各容器は、側壁部と底壁部を備え、前記側壁部に、上側から重ねられた他の容器を支持するための支持部が形成され、前記底壁部に、前記複数の容器が重ねられた状態で当該複数の容器を縦方向に貫通する軸管を挿通するための挿通機構を備えた、容器セットを用意し、前記容器にそれぞれ用土を充填し、前記挿通機構に、少なくとも一端に、温度調節媒体を供給する温度調節装置の供給管に固定接続されるための接続部を備えた軸管を挿通し、前記接続部を前記供給管に固定接続し、前記用土に植物の種若しくは苗を植え付け、該植え付けた植物の種若しくは苗の成長に応じて前記温度調節装置によって前記挿通された軸管に前記温度調節媒体を供給することにより前記用土の温度を調節することを特徴とする。
【発明の効果】
【００１６】
本発明によれば容器を重ね合わせて生育を進行させる栽培方法を用いて植物の栽培を行う場合に、容器内の用土の状態管理を効率的に行なうことができるようになる。
【図面の簡単な説明】
【００１７】
【図１】本発明に係る植物栽培用システムの実施の形態の例を示す斜視図である。
【図２】本発明に係る植物栽培用容器セットを構成する容器の一実施の形態を示す斜視図である。
【図３】本発明に係る植物栽培用容器セットを構成する容器の一実施の形態を示す上面図である。
【図４】本発明に係る植物栽培用容器セットの一実施の形態を示す斜視図である。
【図５】本発明に係る植物栽培用容器セットの一実施の形態を示す断面図である。
【図６】本発明の植物の栽培方法の実施の形態を示す断面図である。
【図７】本発明の植物の栽培方法の実施の形態を示す断面図である。
【発明を実施するための形態】
【００１８】
以下、本発明の一実施の形態について図面を参照して説明する。
【００１９】
図１（Ａ）は、本発明の一実施の形態に係る植物栽培用システムの例を示す概略図である。図１（Ａ）に示すように、植物栽培用システムは、複数の植木鉢１０を含む植物栽培用容器セット１００（以下、適宜「容器セット１００」という。）と、温度調節装置２００とを含む。
【００２０】
図２は、本発明の一実施の形態に係る植木鉢１０の例を示す斜視図である。図２に示すように、植木鉢１０は、側壁部１１と底壁部２１とによって形成され、上面が円形に開口している。ここで、側壁部１１は、容器の上側から下側に向けて徐々に大きく内側に凹む複数の凹部１２が設けられているものとする。
【００２１】
また、側壁部１１は棚部１３を有する。本例における棚部１３は、他の植木鉢１０の非凹部（側壁部１１における凹部１２以外の部分。）が位置合わせされて重ねられたときに、支持部の役割を果たすたように形成れている。棚部１３により、植木鉢１０に充填された用土が、上側から重ねられた他の植木鉢１０により過度に圧迫されることを防止することができる。なお、本例における植木鉢１０の棚部１３と、底壁部２１における他の植木鉢１０の棚部１３により支持されることとなる箇所には、複数の植木鉢１０を重ね合わせるときに上下の植木鉢１０を係合させるための係合凸部２３と係合部凹部２４とがそれぞれ設けられている。なお、積み重ねた複数の植木鉢１０の外側から係合部材を取り付けることにより複数重ねられた植木鉢１０の一体性を確保する構成としてもよい。なお、棚部１３は、側壁部１１における凹部１２の一部として形成されていることが好ましい。
【００２２】
図３は、植木鉢１０の上面図である。図３に示すように、底壁部２１には、植物の根が植木鉢１０の内部から外部へ伸びていけるように形成された複数の連通孔２２と、軸管２７を挿通させるための挿通孔２６（軸管２７の外径と略同一の径をもつ孔）とが設けられている。なお、複数の連通孔２２を用土が通りぬけるほどの大きさに形成し、植木鉢１０内に用土を詰める前に、用土がこぼれてしまわない程度の大きさの孔が複数空いた底敷部材を植木鉢１０の底に敷く構成としてもよい。なお、底敷部材は挿通孔２６を塞がないように、または軸管２７により容易に貫通可能な状態となるように形成されていることが好ましい。
【００２３】
図４は、サイズの同じ植木鉢１０Ａと植木鉢１０Ｂとを重ね合わせ、これらに設けられた挿通孔２６に軸管２７を挿通したときの状態を説明するための斜視図である。図４に示すように、植木鉢１０Ｂの上側から植木鉢１０Ａを重ね合わせるとき、植木鉢１０Ｂの棚部１３ｂと、植木鉢１０Ａの凹部１２ａ以外の部分（非凹部）とを位置合わせして重ねることにより、植木鉢１０Ｂの棚部１３ｂに植木鉢１０Ａを支持させることができる。また、図４に示すように、下段の植木鉢１０Ｂの側壁部１１ｂの上面の上方に開口空間２５が凹部１２と同数形成されることとなる。
【００２４】
なお、植木鉢１０を積み重ねる方法は、例えば植木鉢１０を複数重ね合わせて軸管２７を挿通してから用土を充填するようにしてもよいし、始めに最下段となる植木鉢１０の挿通孔２６に軸管２７を挿通し、軸管２７を挿通した植木鉢１０に用土を充填し、他の植木鉢１０を重ねてから重ねた植木鉢１０に用土を充填することを順次繰り返すようにするなど、種々の方法が考えられる。
【００２５】
また、本例においては植木鉢１０に係合凸部２３と係合凹部２４とを設けているため、複数の植木鉢１０を重ね合わせて全体の高さが高くなった場合でも、容器セット１００が横転することを防止できる。また、植木鉢１０に他の容器を重ねるときに必要な位置合わせも容易となる。
【００２６】
なお、棚部１３は、植木鉢１０が上側から重ねられた他の容器から受ける荷重をバランスよく分散して支持できる位置に配設されていることが好ましく、本例においては、６つの凹部１２の上端に６つの棚部１３が等間隔で設けられている。ただし、凹部１２の数と棚部１３の数はこれに限定されない。すなわち、凹部１２と棚部１３の数は６つよりも多くても、あるいは少なくてもよい。
【００２７】
また、植木鉢１０Ｂの上側から植木鉢１０Ａを重ね合わせるときに、互いの凹部１２を位置合わせして重ねることにより、下側になる植木鉢１０Ｂの内側に植木鉢１０Ａを収納することができるので、用土を充填していない状態（栽培に使用していない状態）での収納スペースを抑えることができる。
【００２８】
軸管２７の上端には、温度調節装置２００と接続されるためのねじ山Ｎが形成されている。また、軸管２７の側壁には、上端から所定の長さ以下の部分に供給孔２８が複数形成されていることが好ましい。供給孔２８により、温度調節装置２００から軸管２７の管内に供給された温度調節媒体を、直接用土に流すことが可能となる。また、供給孔２８から用土が軸管２７の内側に入り込まないように、各供給孔２８の径は約１ｍｍ〜５ｍｍ程度であることが好ましい。
【００２９】
温度調節装置２００は、軸管２７に温度調節媒体を供給することにより植木鉢１０に充填された用土の温度を調節するための機能を有する。本例においては、温度調節装置２００は、空調機構を備え、図１（Ａ）に示すように、温度調節媒体供給管２０１を複数の軸管２７と接続することにより冷風または温風を供給する。なお、図示しないが、本例の温度調節媒体供給管２０１には、軸管２７に形成されたねじ山Ｎに応じたねじ山を有する接続孔が形成されており、これにより軸管２７を固定接続することが可能となる。なお、軸管２７と温度調節媒体供給管２０１との固定接続方法はこれに限定されず、例えば嵌め込み式などであってもよい。
【００３０】
軸管２７に供給された冷風または温風は、供給孔２８から植木鉢１０に充填された用土に流れることにより用土の温度を冷やしまたは温める。
【００３１】
なお、温度調節媒体としては、空気（冷風または温風）などの気体だけでなく、水（冷水または温水）などの液体を用いる構成としてもよい。この場合、温度調節装置２００は、給水給湯機構と、液体を複数の軸管２７に供給するためのポンプとを備えることとなる。また、温度調節装置２００は、空調機構として加湿または除湿を行なう湿度調節機構を備えていてもよい。
【００３２】
なお、軸管２７に供給孔２８が形成されていない場合であっても、温度調節装置２００から供給された温度調節媒体により軸管２７自体が冷却または加熱されることにより、植木鉢１０に充填された用土を冷やしまたは温めることができる。
【００３３】
また、植物栽培用システムにおける軸管２７と温度調節媒体供給管２０１とを含む種々の管の配管方法は、図１（Ａ）に示すような非循環型に限定されず、例えば図１（Ｂ）に示すような循環型であってもよい。すなわち、例えば複数の容器セット１００を地面などの載置面３００に載置し、温度調節媒体供給管２０１と軸管２７とを、温度調節媒体が管内を循環するように連結させるようにしてもよい。また、配管方法を循環型にする場合に、軸管２７の両端と温度調節媒体供給管２０１とを固定接続することにより、容器セット１００の転倒をより効果的に防止できる構成としてもよい。
【００３４】
次に、植木鉢１０を使用して行う栽培方法を説明する。本実施例においては、凹部１２が６箇所に形成された１１号（直径３６ｃｍ）の植木鉢１０（本例においては各植木鉢１０の容積は６．５Ｌであり、植木鉢１０Ｃの側壁部１１ｃの上端と植木鉢１０Ｂの凹部１２ｂとにより形成される開口空間２５の面積は２８ｃｍ２となるものを使用する。）を４個（植木鉢１０Ａ、植木鉢１０Ｂ、植木鉢１０Ｃ、植木鉢１０Ｄ）を１セットとする容器セット１００を使用する場合を例にして説明を行う。
【００３５】
なお、容器セット１００に使用する植木鉢１０の大きさなどは、棚部１３により他の容器を支持できることを条件に選択することが好ましい。ただし、上側に重ねる容器として選んだ植木鉢１０の径が下側の植木鉢１０の棚部１３の内径よりも小さくてもよい。この場合、下側の植木鉢１０に充填された用土により上段になる容器を支持することとなる。
【００３６】
また、栽培対象とする植物の性質（例えば推奨される用土の量など）を考慮して植木鉢１０の大きさなどを選択することが好ましい。また、本例においては植木鉢１０を４つ重ねる場合を例に説明を行なうが、容器セット１００を構成する植木鉢１０の数はこれに限定されない。すなわち、栽培に用いる用土の種類や量に応じて重ねる植木鉢１０の数を調整することが好ましい。
【００３７】
植木鉢１０を使用して行なう植物の栽培方法では、先ず、栽培対象となる植物の生育段階を、複数の段階に分ける。本例においては、栽培対象として市販のイチゴの苗Ａ（以下「苗Ａ」とする。）の生育段階を第１から第３生育段階に分類した。なお、本例においては、苗Ａの根が、植木鉢１０内の用土に十分に着根するまでを「第１生育段階」とし、その後苗Ａの根が底壁部２１の連通孔２２を通って１つ下の植木鉢１０の内部にまで伸びるまでを「第２生育段階」とし、それ以降を「第３生育段階」とした。
【００３８】
次に、最下段となる植木鉢１０Ｄの挿通孔２６ｄに軸管２７を挿通して、植木鉢１０Ｄに第２生育段階に適した用土３２（以下、「第２用土３２」という。）を充填する。
【００３９】
植木鉢１０Ｄに第２用土３２を充填した後、植木鉢１０Ｃの挿通孔２６ｃに軸管２７を挿通させて植木鉢１０Ｃを植木鉢１０Ｄに重ね、植木鉢１０Ｃに第１生育段階に適した用土３１（以下、「第１用土３１」という。）を充填する。
【００４０】
以後同様に植木鉢１０Ｂ，１０Ａを重ね合わせ、軸管２７の上端を温度調節媒体供給管２０１に固定接続する。
【００４１】
なお、本例において第１用土３１は、赤土、堆肥、過燐酸石灰、化成肥料、その他を混合したものを使用した。また、第２用土３２には、赤土、堆肥、過燐酸石灰、化成肥料、その他を混合したものを使用した。ここで、第１用土３１と第２用土３２では、第２用土３２のほうが化学肥料の含有率が高い点で異なる。なお、第１用土３１は化学肥料を含まないものを用いることとしてもよい。
【００４２】
ここで、植木鉢１０Ａと植木鉢１０Ｃに充填された第１用土３１に苗Ａを植え付ける。
【００４３】
図５は、このときの容器セットの状態を示す断面図である。図５に示すように、下段に位置する植木鉢１０Ｃにおいては、開口空間２５にて苗Ａの栽培を行うことができる。
【００４４】
なお、本例においては、植木鉢１０Ｃに充填された第１用土３１には、開口空間２５から苗Ａを１株ずつ植えることとする。これにより、植木鉢１０Ｃにおいては１株あたり約１．１Ｌの用土が割り当てられることとなる。ここで、容器セット１００において、植木鉢１０Ａと植木鉢１０Ｂ、植木鉢１０Ｃと植木鉢１０Ｄとがそれぞれセットとなる。すなわち、植木鉢１０Ａに充填された第１用土３１に植えられた苗Ａの根は、植木鉢１０Ａと１０Ｂとに充填された用土から栄養の吸収などを行なうこととなる。また、植木鉢１０Ｃに充填された第１用土３１に植えられた苗Ａの根は、植木鉢１０Ｃと１０Ｄとに充填された用土から栄養の吸収などを行なうこととなる。
【００４５】
なお、栽培対象とする植物の性質によっては、容器セット１００を構成する植木鉢１０の全てに栽培対象とする植物を植えつけるようにしてもよい。これにより、例えば植木鉢１０を５段積みにすることで、反あたりの収量を通常の栽培方法（すなわち、容器を積み重ねない栽培方法）に比べて５倍に増産できることとなる。
【００４６】
この状態でイチゴの生育を進行させることで、各生育段階に適した用土による栽培を行うことが容易となる。また、開口空間２５から用土に対して追肥を行なうことも可能である。また、各容器セットの最上段（本例においては植木鉢１０Ａと植木鉢１０Ｃ）のみに苗Ａを植えることにより、複数の苗Ａ同士の上下方向の距離を確保することができるので、葉や果肉に対する日照量の確保も容易となる。
【００４７】
生育が進行し、例えば図６に示すようにイチゴが収穫するのに十分に生育した状態になったら、苗Ａを植えた植木鉢１０Ａと植木鉢１０Ｃとを取り外し、苗Ａから生長した栽培対象（イチゴ）を化学成分含有量の少ない用土が充填された他の容器に植え替える。このとき、植え替えを行なう前に根切り作業を行なうようにしてもよい。なお、このとき挿通孔２６から第１用土３１が排出され、植え替え作業が楽になる場合がある。
【００４８】
この様な状態で、すなわち、栽培対象となる植物が比較的化学成分含有率の高い用土に触れない状態で栽培作業（水遣りなど）を継続すると、栽培対象とした植物が用土から吸収した硝酸イオンなどの化学成分が消化されるため、植物の化学成分含有量を減少させることができる。
【００４９】
以上に説明したように、上述した一実施の形態では、複数の容器（例えば、植木鉢１０）を含む植物栽培用容器セット１００であって、容器セット１００を構成する各容器（例えば、植木鉢１０）は、側壁部１１と底壁部２１を備え、側壁部１１に、上側から重ねられた他の容器を支持するための支持部１３が形成され、底壁部２１に、複数の容器が重ねられた状態で複数の容器を縦方向に貫通する軸管２７を挿通するための挿通機構（例えば、挿通孔２６）を備え、軸管２７は、少なくとも一端に、温度調節媒体（例えば、温風と冷風）を供給する温度調節装置２００の供給管（例えば、温度調節媒体供給管２０１）に固定接続されるための接続部（例えば、ねじ山Ｎ）を備えた構造としているので、植物の栽培を行う際に、効率的に容器に充填された用土の温度を調節することができるようになる。
【００５０】
すなわち、温度調節装置により用土の温度を管理することができるので、マルチングなどの作業負担が軽減される。また、容器の内側から用土を加熱または冷却することができるので、例えばビニルハウスのように容器周辺の温度を調節する場合に比べて温度管理にかかる燃料コストを抑えることができるようになる。また、重ね合わせた容器が横転することを防止することができるようになる。
【００５１】
また、上述した実施の形態では、軸管２７の側壁に、容器（例えば、植木鉢１０）に充填された用土に温度調節媒体（例えば、温風と冷風）を供給するための供給孔２８が形成された構造としているので、より効果的に容器内に充填された用土の温度調節が可能となる。また、容器内に充填された用土に対して水遣りを容易に行なえるようになる。なお、上述した実施の形態では特に言及していないが、例えば軸管２７を２重構造にすることにより、供給孔２８の開閉が可能な構成としてもよい。すなわち、例えば２重構造の軸管２７の１層を他の層と独立して回転させることにより供給孔２８の開閉を可能にする構成としてもよい。
【００５２】
また、上述した実施の形態では、容器セット１００を構成する各容器（例えば、植木鉢１０）は、上面が円形に開口し、底壁部２１に複数の連通孔２２が形成され、側壁部１１は、容器の上側から下側に向けて徐々に大きく内側に凹む複数の凹部１２と、複数の凹部１２以外の非凹部とによって形成され、支持部（例えば、棚部１３）は複数の凹部１２であり、該複数の凹部１２は、それぞれ、同形の他の容器（例えば、同形の植木鉢１０）の上側に重ねられたときに他の容器の上面の上方に開口空間２５を形成する構成としているので、容器を重ね合わせて生育を進行させる栽培方法を用いて植物の栽培を行う場合に、空間利用効率を向上させることができるようになる。
【００５３】
すなわち、最上段の容器だけでなく、下段に位置する容器にも植物を植えることができるので、ただ容器を積み重ねる方法を用いた場合と比べてより多くの植物の栽培が可能となる。
【００５４】
また、上述した実施の形態では、容器セット１００を構成する各容器（例えば、植木鉢１０）の挿通機構は、軸管２７の外径と略同一の径をもつ挿通孔２６である構成としているので、容易に軸管２７を挿通することができるようになる。
【００５５】
また、上述した実施の形態では、複数の容器を含む植物栽培用容器セット１００と、温度調節装置２００とを含む植物栽培用システムであって、容器セット１００を構成する各容器（例えば、植木鉢１０）は、側壁部１１と底壁部２１を備え、側壁部１１に、上側から重ねられた他の容器を支持するための支持部（例えば、棚部１３）が形成され、底壁部２１に、複数の容器が重ねられた状態で複数の容器を縦方向に貫通する軸管２７を挿通するための挿通機構（例えば、挿通孔２６）を備え、温度調節装置２００は、挿通機構に軸管２７が挿通された状態で、軸管２７と、温度調節媒体（例えば、温風と冷風）を供給する温度調節媒体供給機構（例えば、温度調節媒体供給管２０１）とを接続するための接続機構（例えば、ねじ山Ｎに対応するねじ山）を備えた構成としているので、植物の栽培を行う際に、効率的に容器に充填された用土の温度を調節することができるようになる。
【００５６】
また、上述した実施の形態では、植物の栽培方法であって、複数の容器を含む植物栽培用容器セット１００であって、容器セット１００を構成する各容器（例えば、植木鉢１０）は、側壁部１１と底壁部２１を備え、側壁部１１に、上側から重ねられた他の容器を支持するための支持部（例えば、棚部１３）が形成され、底壁部２１に、複数の容器が重ねられた状態で複数の容器を縦方向に貫通する軸管２７を挿通するための挿通機構（例えば、挿通孔２６）を備えた、容器セット１００を用意し、容器（例えば、植木鉢１０）にそれぞれ用土（例えば、植物の生育段階に応じた用土）を充填し、挿通機構に、少なくとも一端に、温度調節媒体（例えば、温風と冷風）を供給する温度調節装置２００の供給管（例えば、温度調節媒体供給管２０１）に固定接続されるための接続部（例えば、ねじ山Ｎ）を備えた軸管２７を挿通し、接続部を供給管に固定接続し、用土に植物の種若しくは苗（例えば、苗Ａ）を植え付け、植え付けた植物の種若しくは苗の成長に応じて温度調節装置２００によって挿通された軸管２７に温度供調節体を供給することにより前記用土の温度を調節する構成としているので、植物の栽培を行う際に、効率的に容器に充填された用土の温度を調節することができるようになる。
【００５７】
なお、上述した実施の形態では特に言及していないが、植物栽培用容器セット１００（例えば植木鉢１０Ａ〜１０Ｄ）における容器セット（例えば植木鉢１０Ａと植木鉢１０Ｂ）において用土を充填する前に、最下段となる容器（例えば植木鉢１０Ｂ）の底壁部２１に形成された複数の連通孔２２を底敷部材により塞ぐ構成としてもよい。ここで、底式部材には、例えば撥水性のある素材で形成されたシート状のものを用いるようにすればよい。また、容器セットの最下段となる容器の外側から底壁部の連通孔２２を塞ぐようにしてもよい。
【００５８】
このような構成とすることより、下段に位置する容器に充填された用土に余分な化学成分が流入することを防ぐことができる。また、複数の容器を重ねたときに上段に植えた植物の根が下段に植えた植物の位置まで伸びることを防止することができる。なお、この場合水遣りなどは、容器を重ねることで形成される開口空間から行なうようにすればよい。
【００５９】
また、上述した実施の形態では、底壁部２１に軸管２７の外径と略同一の径をもつ孔である挿通孔２６が設けられている場合について説明を行なったが、容器セット１００に含まれる各容器（例えば、植木鉢１０）が、挿通機構として、挿通孔２６の代わりに、軸管２７の外径と略同一の内径をもつ円筒管であり、底壁部２１から支持部（例えば棚部１３）が位置する高さと略同一の高さをもち、一端が底壁部２１に接続された挿通管４０を含む構成としてもよい。
【００６０】
このような構成とすることにより、例えば上述した実施の形態において、苗Ａを植えた植木鉢１０Ａと植木鉢１０Ｃとを取り外すとき、充填された用土（例えば、第１用土３１）が容器外部に排出されることを防ぐことができる。
【００６１】
なお、挿通管４０には、供給孔２８からの用土への温度調節媒体の供給を阻害しないように、供給孔２８に応じた孔が形成されていることが好ましい。
【００６２】
また、図７（Ａ）に示すように、取り外した植木鉢１０Ａと１０Ｃとを重ね合わせることにより作業スペースの縮小を図ることもできる。また、図７（Ｂ）に示すように、植木鉢１０Ｂと植木鉢１０Ｄとから第２用土３２を取り除き、再び容器セット１００に含まれる複数の植木鉢１０Ａ〜１０Ｄを重ねるようにしてもよい。
【００６３】
なお、上述した実施の形態では、栽培対象としてイチゴを用いたが、他の植物などであってもよい。また、複数種類の植物を同時に栽培するようにしてもよい。
【産業上の利用可能性】
【００６４】
本発明によれば、植物の栽培を行う際に、効率的に容器に充填された用土の温度を調節するのに有用である。
【符号の説明】
【００６５】
１０          植木鉢
１１          側壁部
１２          凹部
１３          棚部
２１          底壁部
２２          連通孔
２３          係合凸部
２４          係合凹部
２５          開口空間
２６          挿通孔
２７          軸管
２８          供給孔
３１          第１用土
３２          第２用土
４０          挿通管
１００        植物栽培用容器セット（容器セット）
２００        温度調節装置
２０１        温度調節媒体供給管
【図１】
2011177137.tif 000003
【図２】
2011177137.tif 000004
【図３】
2011177137.tif 000005
【図４】
2011177137.tif 000006
【図５】
2011177137.tif 000007
【図６】
2011177137.tif 000008
【図７】
2011177137.tif 000009